【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
現在地の位置情報を取得する取得手段と、
複数の通信方式に優先順位がつけられて登録されている優先順位リストを位置情報に対応付けて記憶している記憶手段と、
取得された前記現在地の位置情報に対応する優先順位リストを、前記記憶手段から読み出す読み出し手段と、
読み出された前記優先順位リストに基づいて、順次、前記複数の通信方式のうちのいずれかを選択する選択手段と、
前記複数の通信方式のうちのいずれかを用いて、通信相手との通信を実行する複数の通信手段と、
前記複数の通信手段のうち、選択された通信方式に対応するものに前記通信を実行させる制御手段と
を備える情報処理装置。
【請求項２】
前記記憶手段は、前記優先順位リストを、広域の位置情報に対応付けて記憶している
請求項１に記載の情報処理装置。
【請求項３】
選択された通信方式に対応する前記通信手段による前記通信が失敗した場合、
前記選択手段は、前記優先順位に基づいて、新たに通信方式を選択し、
前記制御手段は、新たに選択された通信方式に対応する前記通信手段に前記通信を実行させる
請求項１または２に記載の情報処理装置。
【請求項４】
新たに選択された前記通信方式に対応する前記通信手段による前記通信が成功した場合、新たに選択された前記通信方式が、最も高い優先順位となるように、前記優先順位リストを更新する更新手段をさらに備える
請求項３に記載の情報処理装置。
【請求項５】
前記通信相手と通信したデータを処理する複数のデータ処理手段をさらに備え、
前記優先順位リストには、さらに、複数のデータ処理にも優先順位がつけられて登録されており、
前記選択手段は、さらに、前記優先順位リストに基づいて、順次、複数のデータ処理のうちのいずれかを選択し、
前記制御手段は、さらに、前記複数のデータ処理手段のうち、選択されたデータ処理に対応するものに前記データ処理を実行させる
請求項１または２に記載の情報処理装置。
【請求項６】
前記通信手段は、前記複数の通信方式のうちのいずれかを用いて、前記通信相手との非接触近接無線通信を実行する
請求項１または２に記載の情報処理装置。
【請求項７】
通信相手との通信を実行する情報処理装置の情報処理方法において、
前記情報処理装置は、
取得手段と、
記憶手段と、
読み出し手段と、
選択手段と、
複数の通信手段と、
制御手段と
を備え、
前記取得手段が、現在地の位置情報を取得し、
前記読み出し手段が、取得された前記現在地の位置情報に対応する優先順位リストを、複数の通信方式に優先順位がつけられて登録されている優先順位リストを位置情報に対応付けて記憶している前記記憶手段から読み出し、
前記選択手段が、読み出された前記優先順位リストに基づいて、順次、前記複数の通信方式のうちのいずれかを選択し、
前記制御手段が、前記複数の通信方式のうちのいずれかを用いて、通信相手との通信を実行する前記複数の通信手段のうち、選択された通信方式に対応するものに前記通信を実行させる
ステップを含む情報処理方法。
【請求項８】
コンピュータを、
現在地の位置情報を取得する取得手段と、
複数の通信方式に優先順位がつけられて登録されている優先順位リストを位置情報に対応付けて記憶している記憶手段と、
取得された前記現在地の位置情報に対応する優先順位リストを、前記記憶手段から読み出す読み出し手段と、
読み出された前記優先順位リストに基づいて、順次、前記複数の通信方式のうちのいずれかを選択する選択手段と、
前記複数の通信方式のうちのいずれかを用いて、通信相手との通信を実行する複数の通信手段と、
前記複数の通信手段のうち、選択された通信方式に対応するものに前記通信を実行させる制御手段と
して機能させるためのプログラム。
【請求項９】
位置情報を取得する取得手段と、
所定の通信方式を用いて、通信相手との通信を実行する複数の通信手段と、
複数の通信方式に応じた優先度と位置情報とを対応づけて記憶する記憶手段と、
取得された前記位置情報と前記優先度に基づいて、複数の通信方式のうちのいずれかを選択する選択手段と、
選択された前記通信方式に対応する通信手段により通信を実行させる制御手段と
を備える情報処理装置。
【請求項１０】
前記選択手段は、選択された通信方式に対応する前記通信手段による通信が失敗した場合、前記優先度に基づいて、他の通信方式を選択し、
前記制御手段は、選択された他の通信方式に対応する前記通信手段に前記通信を実行させる
請求項９に記載の情報処理装置。
【請求項１１】
位置に関する情報を取得する第１の取得手段と、
所定の通信方式を用いて、通信相手との通信を実行する複数の通信手段と、
複数の通信方式に応じた優先度と位置に関する情報との対応関係を示す情報を取得する第２の取得手段と、
取得された前記位置に関する情報と、複数の通信方式に応じた優先度と位置に関する情報との対応関係を示す情報とに基づいて、複数の通信方式のうちのいずれかを選択する選択手段と、
選択された前記通信方式に対応する通信手段により通信を実行させる制御手段と
を備える情報処理システム。
【手続補正２】
【補正対象書類名】明細書
【補正対象項目名】発明の名称
【補正方法】変更
【補正の内容】
【発明の名称】情報処理装置、情報処理方法、プログラム、および情報処理システム
【手続補正３】
【補正対象書類名】明細書
【補正対象項目名】０００１
【補正方法】変更
【補正の内容】
【０００１】
本発明は、情報処理装置、情報処理方法、プログラム、および情報処理システムに関し、特に、通信相手に対応する通信方式を効率的に選択できるようにした情報処理装置、情報処理方法、プログラム、および情報処理システムに関する。
【手続補正４】
【補正対象書類名】明細書
【補正対象項目名】００１５
【補正方法】変更
【補正の内容】
【００１５】
本発明の第１の側面の情報処理装置、またはプログラムは、現在地の位置情報を取得する取得手段と、複数の通信方式に優先順位がつけられて登録されている優先順位リストを位置情報に対応付けて記憶している記憶手段と、取得された前記現在地の位置情報に対応する優先順位リストを、前記記憶手段から読み出す読み出し手段と、読み出された前記優先順位リストに基づいて、順次、前記複数の通信方式のうちのいずれかを選択する選択手段と、前記複数の通信方式のうちのいずれかを用いて、通信相手との通信を実行する複数の通信手段と、前記複数の通信手段のうち、選択された通信方式に対応するものに前記通信を実行させる制御手段とを備える情報処理装置、または情報処理装置として、コンピュータを機能させるためのプログラムである。
【手続補正５】
【補正対象書類名】明細書
【補正対象項目名】００２１
【補正方法】変更
【補正の内容】
【００２１】
本発明の第１の側面の情報処理方法は、前記取得手段が、現在地の位置情報を取得し、前記読み出し手段が、取得された前記現在地の位置情報に対応する優先順位リストを、複数の通信方式に優先順位がつけられて登録されている優先順位リストを位置情報に対応付けて記憶している前記記憶手段から読み出し、前記選択手段が、読み出された前記優先順位リストに基づいて、順次、前記複数の通信方式のうちのいずれかを選択し、前記制御手段が、前記複数の通信方式のうちのいずれかを用いて、通信相手との通信を実行する前記複数の通信手段のうち、選択された通信方式に対応するものに前記通信を実行させるステップを含む情報処理方法である。
【手続補正６】
【補正対象書類名】明細書
【補正対象項目名】００２２
【補正方法】変更
【補正の内容】
【００２２】
本発明の第１の側面においては、現在地の位置情報が取得され、取得された現在地の位置情報に対応する優先順位リストが、複数の通信方式に優先順位がつけられて登録されている優先順位リストを位置情報に対応付けて記憶している記憶手段から読み出され、読み出された優先順位リストに基づいて、順次、複数の通信方式のうちのいずれかが選択され、複数の通信方式のうちのいずれかを用いて、通信相手との通信を実行する複数の通信手段のうち、選択された通信方式に対応するものが通信を実行させられる。
本発明の第２の側面の情報処理装置は、位置情報を取得する取得手段と、所定の通信方式を用いて、通信相手との通信を実行する複数の通信手段と、複数の通信方式に応じた優先度と位置情報とを対応づけて記憶する記憶手段と、取得された前記位置情報と前記優先度に基づいて、複数の通信方式のうちのいずれかを選択する選択手段と、選択された前記通信方式に対応する通信手段により通信を実行させる制御手段とを備える情報処理装置である。
前記選択手段では、選択された通信方式に対応する前記通信手段による通信が失敗した場合、前記優先度に基づいて、他の通信方式を選択し、前記制御手段では、選択された他の通信方式に対応する前記通信手段に前記通信を実行させることができる。
本発明の第２の側面においては、位置情報が取得され、複数の通信方式に応じた優先度と位置情報とが対応づけて記憶され、取得された前記位置情報と前記優先度に基づいて、複数の通信方式のうちのいずれかが選択され、所定の通信方式を用いて、通信相手との通信を実行する複数の通信手段のうち、選択された前記通信方式に対応する通信手段により通信が実行される。
本発明の第３の側面の情報処理システムは、位置に関する情報を取得する第１の取得手段と、所定の通信方式を用いて、通信相手との通信を実行する複数の通信手段と、複数の通信方式に応じた優先度と位置に関する情報との対応関係を示す情報を取得する第２の取得手段と、取得された前記位置に関する情報と、複数の通信方式に応じた優先度と位置に関する情報との対応関係を示す情報とに基づいて、複数の通信方式のうちのいずれかを選択する選択手段と、選択された前記通信方式に対応する通信手段により通信を実行させる制御手段とを備える情報処理システムである。
本発明の第３の側面においては、位置に関する情報が取得され、複数の通信方式に応じた優先度と位置に関する情報との対応関係を示す情報が取得され、取得された前記位置に関する情報と、複数の通信方式に応じた優先度と位置に関する情報との対応関係を示す情報とに基づいて、複数の通信方式のうちのいずれかが選択され、所定の通信方式を用いて、通信相手との通信を実行する複数の通信手段のうち、選択された前記通信方式に対応する通信手段により通信が実行される。